【手続補正書】
【提出日】平成21年12月22日(2009.12.22)
【手続補正１】
【補正対象書類名】明細書
【補正対象項目名】全文
【補正方法】変更
【補正の内容】
【発明の詳細な説明】
【発明の名称】ディジタル圧縮テープレコーダー記録装置
【技術分野】
【０００１】本発明は情報のディジタルテープレコーダー圧縮記録装置に関する。
【背景技術】
【０００２】  従来のディジタルテープレコーダー記録装置では、アナログ要素を利用してディジタルの０，１の２種のディジタル符号でアナログ要素を持った磁気テープ磁気ディスク等に、０，１の２種の符号でしかなかった。【０００３】  従来の技術では、磁気テープレコーダーはオーディオ用はコイルを巻いて、アナログの磁力にたいして、記録した物もあった、ビデオテープレコーダーでは回転式磁気ヘッドであり、この磁気ヘッドでアナログであった。
【先行技術文献】
【特許文献】
【０００４】
【特許文献１】特開２００３−２９６９０６
【発明の概要】
【発明が解決しようとする課題】
【０００５】  従来の技術では、プラス、マイナス即ちＮ極Ｓ極を用いて４種の電圧が検出され方式では、アナログ要素を用いた世界では４次元の中では従来のディジタルの０と１の２進法の通称ワードと称される物、又は４種で２進法のＩＢＭ社が考えた、１７の内１６を使用する、０と１を用いた１２進法で０〜１６迄認識し１７を０又は同期信号とする方法をも含め、単には磁気テープの磁気面、又この世界の４次元の中では、アナログ要素を利用するとアナログでしか認識できない、この為磁気テープに０と１とする２進法しか認識するしか無かった。
【課題を解決するための手段】
【０００６】  そして、本発明は上記目的を達成するためディジタル符号をアナログに変換する為に、ディジタル／アナログコンバーターを使用し、アナログの電圧，電力を０，１，２，３，４，５，６，７，８の９種の電圧，電力とし磁気ヘッドをナイフエッジ状又は刃先の様にとしテープ走行即ちトラックに対して線となりテープ走行速度に対し打切速度が、相対的に速くなり電圧と電流が取り出し易くなる、この事より電力も大きくなる、そして線に近い事から、テープ等の磁場面積が小さく、相対的に磁場又は磁力に対して、磁気ヘッドの打ち切る速度が速く成り、電圧，電流即ち電力も大きくなり、テープ上の磁気面が小さくなり検出しやすくなる、又同様に磁気ヘッドがナイフエッジ状の為、書込に対しても電圧，電流書き込み易くなり、この為磁気コイルのインピーダンスも小さく、そして電圧，電流も出やすく、この為９種の電圧に依って、０，１，２，３，４，５，６，７，８の各々それぞれの電圧を特定し、認識しやすくなる、現在のディジタルはバイトで表現し記録するもの主流である事から０，１，２，３，４，５，６，７，８の９種の特定の電圧とした方が簡易である。【０００７】  また、テープによる記憶装置の場合、消去磁気ヘッドを書込、読取兼用磁気ヘッドの前に設けると、書込の時便利である、但し、記憶したものの読込みの場合消去磁気ヘッドは動作しない様に電子回路に組み込んで置く。【０００８】  磁気ヘッド、磁芯をナイフエッジ状又はマイナスドライバー状にした事に依り、磁気テープ走行に対して磁気ヘッド磁芯が磁気テープ走行方向に対して線状の為、磁気テープ記憶磁場面に対して、線状の磁場面の為、磁気ヘッド磁芯も線の為、相対的に打ち切り速度が早くなる為、電力が出やすい、その為プリアンプのインピーダンスの低い物でも使用出来検知がしやすいものに成り、又書込にもアンプが簡易で作りやすい、この為ディジタル／アナログコンバーターでアナログ要素で記憶し、又アナログ要素で読出し、アナログ／ディジタルコンバーターも作り易い、但しアナログ入力に対し記憶する場合、一度アナログ／ディジタルコンバーターにてディジタルにし、先に述べたディジタル／アナログコンバーターにて、磁気ヘッド磁芯がナイフエッジ状又はマイナスドライバー状のものにて記録する。
【発明の効果】
【０００９】  本発明のディジタル圧縮テープレコーダー記録装置はテープ磁性体のアナログ効果を利用し、アナログの入出力に対しては、一度アナログ／ディジタルコンバータを使用し、又ディジタル入力に対しては、直接ディジタル／アナログコンバータに入力し、アナログの０，１，２，３，４，５，６，７，８の９種の電圧に変換し、磁気テープ面に対して、ナイフエッジ状刃先の形又はマイナスドライバー状の走行方向に対して、線の形で記録する、この事より、従来のコイルを巻いた磁気ヘッドより面積が無く、線として記録又は記憶する、この事より面積が無く、小さく記録又は記憶できる。【００１０】  また、磁気ヘッドをナイフエッジ状にした為磁気テープ面に線状に記録又は記憶された為、面積が無く、磁気テープ走行に対して、磁気ヘッド磁芯をナイフエッジ状又はマイナスドライバー状の為、相対的に走行する速度が上がりフレミングの法則でも有るが、電圧，電流が出力しやすい、又書込の際に同様に効果が得られる為、０，１，２，３，４，５，６，７，８の９種の電圧又は電力の入出力し易いものが得られる、そして書込・読出しの為のアンプも制御がし易く、又ディジタル／アナログコンバーターも、従来あるものを用いて、使用出来る。
【図面の簡単な説明】
【００１１】
【図１】本発明ディジタル圧縮記憶装置のディジタル量とアナログ電圧の変化量を電圧変化分として（ａ）０，１，２，３，４，５，６，７，８の数値として表現した図と実際の電圧を（ｂ）と現し、理解しやすくした図（ｂ）
【図２】磁気ヘッド磁芯、幅広で鋭利なナイフエッジ状
【図３】ディジタル圧縮のテープ走行と磁気ヘッド
【図４】ディジタル圧縮の為の磁気ヘッドａ横断面とｂ正断面図
【図５】ディジタル圧縮する為の、電子回路ブロック図
【図６】ディジタル圧縮、消去磁芯とコイル消去信号回路
【図７】ディジタル圧縮記憶装置の機械図であり、完成図である。
【発明を実施するための形態】
【００１２】  以下、本発明の実施の形態を図１〜図７に基づいて説明する。
【００１３】  図１は従来のディジタル２進法０，１の桁上りを、アナログで表現すると４次元の世界ではアナログ効果を用いるとアナログの０，１，２，３，４，５，６，７，８の数でしか表現出来無い、この為０，１，２，３，４，５，６，７，８の９種の一定の電圧変化分を表現した図１（ａ）（ｂ）の通りである。
【００１４】  図２の、本発明のディジタル圧縮テープレコーダー記録装置の様に成る、磁気テープに記録させ、ディジタル圧縮を依り効果的にし、更に図２の磁芯６のａ，ｂの横方向図とｂ正面図で明かな様に鋭利で幅広のナイフエッジ状又はマイナスドライバー状の形態とする事から、テープ磁場、記憶面が線状に記憶され、これにより磁芯６も鋭利で幅広のナイフエッジ状又はマイナスドライバー状で、テープ磁場記憶面と磁芯６も、これにより線状でテープ走行の磁場と磁芯の打切る速度が相対的に今迄のコイルの物より、より早くなる、これにより電圧が高く得られ、又幅広で鋭利な線状で有るから、電流も得られこれにより電力を取れる、これにより安定した電圧で９種の一定の定められた電圧が得られる、これにより図３のコイル８により書込、読出しも安定する、これは幅広で鋭利なナイフエッジ状又はマイナスドライバー状であるから、先にも述べた様に、電圧と電流が安定して得られ、又電力も得られ、コイルのインピーダンスも低くて済む為、又書込む際して電圧と共に電力も入れられ読出しにも電圧と電力が出力され、書込、読出しも簡易である。
【００１５】  図３の様に構成したのは、従来のアナログの記録装置と同様にした、これにより従来技術との組合せで、使用法が簡易に成る、磁気ヘッド２とテープリール面３とテープガイドローラー４で構成し、但しディジタル圧縮テープレコーダー記録装置を実現させる為には、磁気テープそのものは４次元の要素で構成されており、この４次元の要素と効果を利用すると、０と１の２進法では無く、アナログ効果を用いると、０，１，２，３，４，５，６，７，８の９種の最小単位が最も使い易い、これはバイトと称されるものである、そして９種類位の一定の電圧のものの方が例えばＤ／ＡＣ又は例えばＡ／ＤＣの分解能の点で利用し易く簡易である。
【００１６】  図４の磁気ヘッド２の横断面（ａ）に示す様にテープ走行時、線状の面（ｂ）にし、消去磁芯７を配置して消去し、そして書込、読出し共用磁芯６ａ，６ｂにて書込む、そして読出しの時は消去ヘッドを動作しない様にしておく、更に磁気ヘッドの横断面図４（ａ）の様に、磁芯７と６は磁気テープ接触面は、線状で有る。これにより磁気テープ走行面に対して、線状に記録され、記録させるに対して相対的に、磁芯の打切り速度が上がり、電圧，電流が出易く、又線状であるから面積が無く、磁気テープに記録密度も大く取れる。
【００１７】  図５で、先に述べたものを実現する為に以下、上記構成の動作させる為の電子回路ブロック図で説明する。磁性体テープに記録させる為には２つの入力、ディジタル入力とアナログ入力のものはＡ／ＤＣでディジタル出力とする、入力回路１３，ディジタル出力と成り、変則電圧パルスディジタル／アナログコンバーター１２でアナログの９種の図１の（ｂ）一定の電圧と電力とし磁芯６のコイル８に電圧，電力を印加し、磁芯６にて磁気テープ面に線状は９種類それぞれの一定の、予め決められたそれぞれの電圧を磁芯により出力し、磁気テープ面に線状に記録させる。
【００１８】  これにより、読出しに対し磁芯６は幅広の鋭利なナイフエッジ状又はマイナスドライバー状で、横から見ると点、テープ走行方向から見ると線状である、アナログ効果を利用した場合０，１，２，３，４，５，６，７，８の９種の一定の定まった電圧としか認識できず、読取磁芯６とコイル８で９種の定まった電圧をアナログ／ディジタルコンバーター１４で０と１と認識する２進法のディジタル変換する、出力Ｂ１とする。
【００１９】  消去は消去用磁芯７にてコイル９に消去信回路１６からの消去信号回路にてコイル９から磁芯７にて書込、読取同様の幅広で鋭利なナイフエッジ状又はマイナスドライバー状の磁芯にて磁気テープ磁場面の記録を消去する。
【００２０】  また取り扱いが楽な様に従来のテープ記録装置と同様な外観図７としてスイッチ類１９，２０も従来と同様にし取り扱いも簡単なようにした。
【符号の説明】
【００２１】  １ａ ０を表わす３０ｍVの電圧を説明  １ｂ １を表わす４０ｍVの電圧を説明  １ｃ ２を表わす５０ｍVの電圧を説明。  １ｄ ３を表わす６０ｍVの電圧を説明  １ｅ ４を表わす７０ｍVの電圧を説明  １ｆ ５を表わす８０ｍVの電圧を説明  １ｇ ６を表わす９０ｍVの電圧を説明  １ｈ ７を表わす１００ｍVの電圧を説明。  １ｉ ８を表わす１１０ｍVの電圧を説明  ２   磁気ヘッド。  ３   磁気テープ  ４   磁気テープ走行ガイドローラー  ５   磁気ヘッドカバー  ６ａ 書込、読取磁芯  ６ｂ 書込、読取磁芯  ７   消去用磁芯  ８ａ 書込、読取用磁芯用コイル  ８ｂ 書込、読取用磁芯用コイル  ９   消去用コイル  10   ナイフエッジ磁芯（刃状）  11   通信線  12   ディジタル／アナログコンバーター  13   アナログ／デジタル入力回路部  14   増幅回路  15   アナログ／ディジタルコンバーター  16   消去信回路  17   ディジタル圧縮記録装置  18   磁気テープ取出し、組込口  19   スイッチ類  20   リモコン受光素子  21   リモコン外観 
【手続補正２】
【補正対象書類名】特許請求の範囲
【補正対象項目名】全文
【補正方法】変更
【補正の内容】
【特許請求の範囲】
【請求項１】
音、画像、文字、数字等の情報を符号して、ディジタル量、パルスをアナログ要素を持った磁気テープ等で、ディジタル圧縮回路、ディジタル／アナログコンバーターにて特定の変則電圧にして、この電圧の高い低いで認識して０，１，２，３，４，５，６，７，８の９種の電圧にしてナイフエッジ状又はマイナスドライバー状の磁気ヘッドで、磁気テープ等にて９種の磁気テープに９種の磁場又は磁力にて書込み又は記録して更に磁気ヘッド、ナイフエッジ状又はマイナスドライバー状の書込消去ヘッド又は読込磁気ヘッドにて９種の電圧と認識し、アナログ／ディジタルコンバーターにて元の０，１から成る通常の２進法のディジタル量に変換し、通常のディジタルとする、更にこの磁気ヘッドは磁気テープ走行に対して線であるかの事からして相対的に、チョッピングスピードが上がる為、電圧が出やすく、又電流も出る、消去ヘッドも又ナイフエッジ状である、ディジタル圧縮テープレコーダー記録装置。
【手続補正４】
【補正対象書類名】図面
【補正対象項目名】全図
【補正方法】変更
【補正の内容】
【図１】
2009158092.tif 000001
【図２】
2009158092.tif 000002
【図３】
2009158092.tif 000003
【図４】
2009158092.tif 000004
【図５】
2009158092.tif 000005
【図６】
2009158092.tif 000006
【図７】
2009158092.tif 000007